(57)【要約】      （修正有）【課題】データ送信方法、アクセスネットワーク装置、及び通信システムを提供する。【解決手段】方法は、制御プレーンがユーザプレーンから分離されている通信システムに適用される。アクセスネットワーク装置は、第１コアネットワーク（ＣＮ）要素から制御プレーンインタフェースを通じて、確立される必要のあるベアラに関する情報を取得し、確立される必要のあるベアラに関する情報に従いベアラを確立し、使用のために確立したベアラを第１ＣＮ要素を通じて第２ＣＮ要素に通知する。制御プレーンインタフェースのシグナリングが中断されるとき、アクセスネットワーク装置は、ＵＥの無線リソース制御（ＲＲＣ）接続を維持する。【選択図】図３
2019110580.tif 000002
【特許請求の範囲】
【請求項１】
データ送信方法であって、前記方法は通信システムに適用され、前記通信システムは、アクセスネットワーク装置とコアネットワーク装置とを含み、前記コアネットワーク装置は、第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、前記方法は、
前記アクセスネットワーク装置により、前記第１コアネットワーク要素から前記制御プレーンインタフェースを通じて、確立される必要のあるベアラに関する情報を取得するステップと、
前記アクセスネットワーク装置により、前記確立される必要のあるベアラに関する前記情報に従い、前記ベアラを確立するステップと、
前記アクセスネットワーク装置により、前記第１コアネットワーク要素を通じて前記第２コアネットワーク要素に、前記確立したベアラを通知するステップと、
前記制御プレーンインタフェースの信号が中断されると、前記アクセスネットワーク装置により、前記確立したベアラを用いることにより、ユーザ機器、ＵＥ、の既存サービスの中で送信されるべきデータを送信するステップと、
を含む方法。
【請求項２】
前記方法は、
前記アクセスネットワーク装置が前記ＵＥのデータを受信すると、前記アクセスネットワーク装置により、第１タイマを開始する又はリセットするステップであって、前記第１タイマは、前記ＵＥの非アクティブ期間を記録するよう構成される、ステップと、
前記第１タイマが終了すると、前記アクセスネットワーク装置により、前記ＵＥの無線リソース制御、ＲＲＣ、接続を解放するステップと、
を更に含む請求項１に記載の方法。
【請求項３】
前記方法は、
前記アクセスネットワーク装置により、前記制御プレーンインタフェースの前記信号が正常に戻るか否かを検出するステップと、
前記アクセスネットワーク装置により、前記制御プレーンインタフェースの前記信号が正常に戻ると、前記ＵＥのＲＲＣ接続を解放するステップと、
を更に含む請求項１又は２に記載の方法。
【請求項４】
前記方法は、
前記制御プレーンインタフェースの前記信号が中断されると、前記アクセスネットワーク装置により、第２タイマを開始するステップと、
前記第２タイマが終了すると、前記アクセスネットワーク装置により、前記ＵＥのＲＲＣ接続を解放するステップと、
を更に含む請求項１乃至３のいずれか一項に記載の方法。
【請求項５】
前記方法は、
前記制御プレーンインタフェースの前記信号が正常に戻る前に、前記ＵＥが新しいサービスのために制御プレーン接続の確立を開始すると、前記アクセスネットワーク装置により、前記ＵＥのＲＲＣ接続を解放するステップ、
を更に含む請求項１乃至４のいずれか一項に記載の方法。
【請求項６】
前記方法は、
前記制御プレーンインタフェースの前記信号が中断されると、前記アクセスネットワーク装置により、前記アクセスネットワーク装置によりカバーされるセルの状態を予約状態に設定するステップであって、前記予約状態は、アイドル状態のＵＥのアクセスを禁止するために使用される、ステップ、
を更に含む請求項１乃至５のいずれか一項に記載の方法。
【請求項７】
アクセスネットワーク装置に適用される装置であって、前記アクセスネットワーク装置は通信システムに適用され、前記通信システムは、前記アクセスネットワーク装置とコアネットワーク装置とを含み、前記コアネットワーク装置は、第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、前記装置は、
前記第１コアネットワーク要素から前記制御プレーンインタフェースを通じて、確立される必要のあるベアラに関する情報を取得する手段と、
前記確立される必要のあるベアラに関する前記情報に従い、前記ベアラを確立する手段と、
前記第１コアネットワーク要素を通じて前記第２コアネットワーク要素に、前記確立したベアラを通知する手段と、
前記制御プレーンインタフェースの信号が中断されると、前記確立されたベアラを用いることにより、ユーザ機器、ＵＥ、の既存サービスの中で送信されるべきデータを送信する手段、
を含む装置。
【請求項８】
前記アクセスネットワーク装置が前記ＵＥのデータを受信すると、第１タイマを開始又はリセットする手段であって、前記第１タイマは、前記ＵＥの非アクティブ期間を記録するよう構成される、手段と、
前記第１タイマが終了すると、前記ＵＥの無線リソース制御、ＲＲＣ、接続を解放する手段と、
を更に含む請求項７に記載の装置。
【請求項９】
前記制御プレーンインタフェースの前記信号が正常に戻るか否かを検出する手段と、
前記制御プレーンインタフェースの前記信号が正常に戻ると、前記ＵＥのＲＲＣ接続を解放する手段と、
を更に含む請求項７又は８に記載の装置。
【請求項１０】
前記制御プレーンインタフェースの前記信号が中断されると、第２タイマを開始する手段と、
前記第２タイマが終了すると、前記ＵＥのＲＲＣ接続を解放する手段と、
を更に含む請求項７乃至９のいずれか一項に記載の装置。
【請求項１１】
前記制御プレーンインタフェースの前記信号が正常に戻る前に、前記ＵＥが新しいサービスのために制御プレーン接続の確立を開始すると、前記ＵＥのＲＲＣ接続を解放する手段、
を更に含む請求項７乃至１０のいずれか一項に記載の装置。
【請求項１２】
前記制御プレーンインタフェースの前記信号が中断されると、前記アクセスネットワーク装置によりカバーされるセルの状態を予約状態に設定する手段であって、前記予約状態は、アイドル状態のＵＥのアクセスを禁止するために使用される、手段、
を更に含む請求項７乃至１１のいずれか一項に記載の装置。
【請求項１３】
通信システムであって、請求項７乃至１２のいずれか一項に記載の前記アクセスネットワーク装置を含み、前記コアネットワーク装置は第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられる、通信システム。
【請求項１４】
コンピュータに請求項１乃至６のいずれか一項に記載の方法を実行させるプログラム。
【発明の詳細な説明】
【技術分野】
【０００１】
本発明の実施形態は、通信技術に関し、特に、データ送信方法、アクセスネットワーク装置、及び通信システムに関する。
【背景技術】
【０００２】
ロングタームエボリューション（Long  Term  Evolution、略してＬＴＥ）ネットワークは、比較的高い帯域幅をサポートし及び比較的強力な干渉防止能力を有するので、ＬＴＥネットワークは広く適用されている。図１を参照すると、図１は、既存ＬＴＥネットワークのシステムアーキテクチャの概略図である。図１に示すように、ＬＴＥネットワークは、主に、進化型地上無線アクセスネットワーク（Evolved  Universal  Terrestrial  Radio  Access  Network、略してＥ−ＵＴＲＡＮ）１１０及びコアネットワーク（Core  Network、略してＣＮ）１２０を含む。Ｅ−ＵＴＲＡＮは、主に、進化型ノードＢ（evolved  Node  B、略してｅＮＢ）１１１としても参照される進化型基地局を含む。コアネットワーク１２０は、主に、移動性管理エンティティ（Mobility  Management  Entity、略してＭＭＥ）１２１、サービングゲートウェイ（Serving  Gateway、略してＳ−ＧＷ）１２２、ポリシ及び課金ルール機能（Policy  and  Charging  Rules  Function、略してＰＣＲＦ）エンティティ１２３、パケットデータネットワークゲートウェイ（PDN  Gateway、略してＰ−ＧＷ）１２４、等を含む。ユーザ機器（User  Equipment、略してＵＥ）は、ｅＮＢ１１１を介して無線ネットワークにアクセスし、コアネットワークを介して、外部ネットワーク、例えばインターネット（Internet）への接続を確立する。
【０００３】
Ｅ−ＵＴＲＡＮプロトコルアーキテクチャでは、制御プレーン（シグナリングプレーンとしても参照される）及びユーザプレーン（データプレーンとしても参照される）は、分離される。つまり、ｅＮＢ１１１とコアネットワークとの間の制御プレーンデータ及びユーザプレーンデータは、異なるネットワーク要素を用いることにより処理される。ユーザプレーンデータは、ｅＮＢ１１１とコアネットワーク１２０内のＳ−ＧＷ１２２との間で送信され、ｅＮＢ１１１とＳ−ＧＷ１２２との間のインタフェースは、Ｓ１ユーザプレーンインタフェース（略してＳ１−Ｕインタフェース）として定められる。制御プレーンデータは、ｅＮＢ１１１とＭＭＥ１２１との間で送信され、ｅＮＢ１１１とＭＭＥ１２１との間のインタフェースは、Ｓ１制御プレーンインタフェース（略してＳ１−ＭＭＥインタフェース）として定められる。ＵＥがサービスを有するとき、ユーザプレーンベアラは、制御プレーンを用いることにより確立され、ベアラが確立に成功すると、ユーザプレーンデータは、ベアラを用いることにより送信されて良い。
【０００４】
現在、制御プレーン接続が中断されると、つまり、ｅＮＢとＭＭＥとの間の接続が中断されると、ｅＮＢは、制御プレーンリソース及びユーザプレーンリソースを直ちに解放し、結果としてユーザサービス中断を生じ、ユーザ経験に影響を与える。
【発明の概要】
【０００５】
この観点から、本発明の実施形態は、制御プレーンの中断のユーザ経験への影響を低減するために、データ送信方法、アクセスネットワーク装置、及び通信システムを提供する。
【０００６】
本発明の第１の態様は、データ送信方法であって、前記方法は通信システムに適用され、前記通信システムは、アクセスネットワーク装置とコアネットワーク装置とを含み、前記コアネットワーク装置は、第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、前記方法は、前記アクセスネットワーク装置により、前記第１コアネットワーク要素から前記制御プレーンインタフェースを通じて、確立される必要のあるベアラに関する情報を取得するステップと、前記アクセスネットワーク装置により、確立される必要のある前記ベアラに関する前記情報に従い、前記ベアラを確立するステップと、前記アクセスネットワーク装置により、前記第１コアネットワーク要素を通じて前記第２コアネットワーク要素に、前記確立したベアラを通知するステップと、前記アクセスネットワーク装置により、前記制御プレーンインタフェースの信号が中断されると、前記確立したベアラを用いることにより、ユーザ機器（ＵＥ）の既存サービスの中で送信されるべきデータを送信するステップと、を含む方法を提供する。
【０００７】
第１の態様を参照して、第１の態様の第１の可能な実装方法では、前記方法は、前記アクセスネットワーク装置により、前記アクセスネットワーク装置が前記ＵＥのデータを受信すると、第１タイマを開始する又はリセットするステップであって、前記第１タイマは、前記ＵＥの非アクティブ期間を記録するよう構成される、ステップと、前記アクセスネットワーク装置により、前記第１タイマが終了すると、前記ＵＥの無線リソース制御（ＲＲＣ）接続を解放するステップと、を更に含む。
【０００８】
第１の態様又は第１の態様の第１の可能な実装方法を参照して、第１の態様の第２の可能な実装方法では、前記方法は、前記アクセスネットワーク装置により、前記制御プレーンインタフェースの前記信号が正常に戻るか否かを検出するステップと、前記アクセスネットワーク装置により、前記制御プレーンインタフェースの前記信号が正常に戻ると、前記ＵＥのＲＲＣ接続を解放するステップと、を更に含む。
【０００９】
第１の態様又は第１の態様の第１及び第２の可能な実装方法を参照して、第１の態様の第３の可能な実装方法では、前記方法は、前記制御プレーンインタフェースの前記信号が中断されると、前記アクセスネットワーク装置により、第２タイマを開始するステップと、前記第２タイマが終了すると、前記アクセスネットワーク装置により、前記ＵＥのＲＲＣ接続を解放するステップと、を更に含む。
【００１０】
第１の態様又は第１の態様の第１乃至第３の可能な実装方法のうちのいずれか１つを参照して、第１の態様の第４の可能な実装方法では、前記制御プレーンインタフェースの前記信号が正常に戻る前に、前記ＵＥが新しいサービスのために制御プレーンコネクションの確立を開始すると、前記アクセスネットワーク装置は、前記ＵＥのＲＲＣコネクションを解放する。
【００１１】
第１の態様又は第１の態様の第１乃至第４の可能な実装方法のうちのいずれか１つを参照して、第１の態様の第５の可能な実装方法では、前記方法は、前記制御プレーンインタフェースの前記信号が中断されると、前記アクセスネットワーク装置により、前記アクセスネットワーク装置によりカバーされるセルの状態を予約状態に設定するステップであって、前記予約状態は、アイドル状態のＵＥのアクセスを禁止するために使用される、ステップ、を更に含む。
【００１２】
本発明の第２の態様は、アクセスネットワーク装置であって、前記アクセスネットワーク装置は通信システムに適用され、前記通信システムは、前記アクセスネットワーク装置とコアネットワーク装置とを含み、前記コアネットワーク装置は、第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、前記アクセスネットワーク装置は、前記第１コアネットワーク要素から前記制御プレーンインタフェースを通じて、確立される必要のあるベアラに関する情報を取得するよう構成される処理モジュールであって、前記処理モジュールは、確立される必要のある前記ベアラに関する前記情報に従い、前記ベアラを確立するよう更に構成される、処理モジュールと、前記第１コアネットワーク要素を通じて前記第２コアネットワーク要素に、前記確立したベアラを通知するよう構成される送信モジュールであって、前記送信モジュールは、前記制御プレーンインタフェースの信号が中断されると、前記確立されたベアラを用いることにより、ユーザ機器（ＵＥ）の既存サービスの中で送信されるべきデータを送信するよう更に構成される、送信モジュールと、を含むアクセスネットワーク装置を提供する。
【００１３】
第２の態様を参照して、第２の態様の第１の可能な実装方法では、前記処理モジュールは、前記アクセスネットワーク装置が前記ＵＥのデータを受信すると、第１タイマを開始する又はリセットし、前記第１タイマは前記ＵＥの非アクティブ期間を記録するよう構成され、前記第１タイマが終了すると、前記ＵＥの無線リソース制御（ＲＲＣ）接続を解放するステップと、を更に含む。
【００１４】
第２の態様又は第２の態様の第１の可能な実装方法を参照して、第２の態様の第２の可能な実装方法では、前記処理モジュールは、前記制御プレーンインタフェースの前記信号が正常に戻るか否かを検出し、前記制御プレーンインタフェースの前記信号が正常に戻ると、前記ＵＥのＲＲＣ接続を解放するよう更に構成される。
【００１５】
第２の態様又は第２の態様の第１及び第２の可能な実装方法を参照して、第２の態様の第３の可能な実装方法では、前記処理モジュールは、前記制御プレーンインタフェースの前記信号が中断されると、第２タイマを開始し、前記第２タイマが終了すると、前記ＵＥのＲＲＣ接続を解放するよう更に構成される。
【００１６】
第２の態様又は第２の態様の第１乃至第３の可能な実装方法のうちのいずれか１つを参照して、第２の態様の第４の可能な実装方法では、前記処理モジュールは、前記制御プレーンインタフェースの前記信号が正常に戻る前に、前記ＵＥが新しいサービスのために制御プレーン接続の確立を開始すると、前記ＵＥのＲＲＣ接続を解放するよう更に構成される。
【００１７】
第２の態様又は第２の態様の第１乃至第４の可能な実装方法のうちのいずれか１つを参照して、第２の態様の第５の可能な実装方法では、前記処理モジュールは、前記制御プレーンインタフェースの前記信号が中断されると、前記アクセスネットワーク装置によりカバーされるセルの状態を予約状態に設定し、前記予約状態は、アイドル状態のＵＥのアクセスを禁止するために使用される、よう更に構成される。
【００１８】
本発明の第３の態様は、アクセスネットワーク装置であって、プロセッサと、メモリと、インタフェース回路と、システムバスとを含み、前記プロセッサ、前記メモリ、及び前記インタフェース回路は、前記システムバスを用いることにより互いに接続され通信し、前記メモリは、コンピュータ実行命令を格納するよう構成され、前記インタフェース回路は、別の装置と通信するよう構成され、前記プロセッサは、第１の態様又は第１の態様の第１乃至第５の可能な実装方法のいずれか１つに記載の方法を実行するために前記コンピュータ実行命令を実行するよう構成される、アクセスネットワーク装置を提供する。
【００１９】
本発明の第４の態様は、通信システムであって、アクセスネットワーク装置及びコアネットワーク装置を含み、前記コアネットワーク装置は第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、アクセスネットワーク装置は第２の態様又は第２の態様のいずれかの可能な実装方法において提供される構造を有する、通信システムを提供する。
【００２０】
本発明の実施形態は、データ送信方法、アクセスネットワーク装置、及び通信システムを提供する。方法は、制御プレーンがユーザプレーンから分離されている通信システムに適用される。前記通信システムは、アクセスネットワーク装置及びＣＮ装置を含み、前記ＣＮ装置は第１ＣＮ要素と第２ＣＮ要素とを含み、制御プレーンインタフェースが前記第１ＣＮ要素と前記アクセスネットワーク装置との間に設けられ、ユーザプレーンインタフェースが前記第２ＣＮ要素と前記アクセスネットワーク装置との間に設けられる。前記アクセスネットワーク装置は、前記第１ＣＮ要素から前記制御プレーンインタフェースを通じて、確立される必要のあるベアラに関する情報を取得し、前記確立される必要のあるベアラに関する情報に従いベアラを確立し、使用のために前記確立したベアラを前記第１ＣＮ要素を通じて前記第２ＣＮ要素に通知する。前記制御プレーンインタフェースの信号が中断されると、前記アクセスネットワーク装置は、前記確立したベアラを用いることにより、ＵＥの既存サービスの中で送信されるべきデータを送信する。前記方法では、前記制御プレーンインタフェースのシグナリングが中断されるとき、ア前記クセスネットワーク装置は、前記ＵＥのベアラを直ちに解放しない。このように、ＵＥのユーザプレーンコネクションは切断されず、ＵＥはデータを送信するために確立したベアラを使用し続けることができ、ユーザプレーンサービスが中断されないことを最大限に保証し、それによりユーザ経験を向上する。
【図面の簡単な説明】
【００２１】
本発明の実施形態の又は従来技術の技術的ソリューションをより明確に説明するために、以下に実施形態又は従来技術の説明に必要な添付の図面を記載する。明らかなことに、以下の説明中の添付の図面は、本発明の一部の実施形態であり、これらの図面に従って当業者により創造的労力を有しないで他の図面も得られる。
【図１】既存ＬＴＥネットワークのシステムアーキテクチャの概略図である。
【図２】既存データ送信のシグナリングフローチャートである。
【図３】本発明の一実施形態によるデータ送信方法のフローチャートである。
【図４】本発明の別の実施形態によるデータ送信方法のフローチャートである。
【図５】本発明の一実施形態によるアクセスネットワーク装置の概略構造図である。
【図６】本発明の一実施形態による別のアクセスネットワーク装置の概略構造図である。
【図７】本発明の一実施形態による通信システムの概略構造図である。
【発明を実施するための形態】
【００２２】
本発明の目的、技術的解決策、及び利点を明確にするために、以下に、本発明の実施形態における技術的解決策を本発明の実施形態における添付の図面を参照して明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００２３】
従来技術では、制御プレーンが中断されると、ｅＮＢは、Ｓ１リンク上の全てのＵＥの無線リソース制御（Radio  Resource  Control、略してＲＲＣ）接続を直ちに解放する。制御プレーン接続の中断は、ユーザサービスの即時中断を引き起こし、ユーザ経験に影響することが分かる。本願では、データ送信処理が分析され、制御プレーンが中断されるがユーザプレーンが確立されるとき、ユーザベアラが確立されるＵＥはデータを送信し続けることができるという結論を引き出し、この結論を用いることにより、ユーザサービスが影響されないことを保証する。
【００２４】
具体的に、図２を参照すると、図２は、既存データ送信のシグナリングフローチャートである。図２に示すように、ＵＥのデータ送信処理は以下のステップを含む。
【００２５】
Ｓ２０１。ＵＥがサービスを有するとき、ＵＥは、サービス要求（service  request）をｅＮＢを介してＭＭＥへ送信する。
【００２６】
続いて、ＵＥについての認証のような処理があり、これらの処理は、本発明の本質に関係なく、詳細はここで説明されない。
【００２７】
Ｓ２０２。ＭＭＥは、初期コンテキスト設定要求（initial  context  setup  request）メッセージをｅＮＢへ送信する。
【００２８】
初期コンテキスト設定要求メッセージは、ＵＥコンテキストと、Ｅ−ＵＴＲＡＮ無線アクセスベアラ（E−UTRAN  radio  access  bearer、略してＥ−ＲＡＢ）コンテキストと、を含んで良い。Ｅ−ＲＡＢコンテキストは、Ｓ−ＧＷのアドレス及びアップリンク送信のために使用されるトンネルエンドポイント識別子（Tunnel  Endpoint  Identifier、略してＴＥＩＤ）のような情報を含む。
【００２９】
Ｓ２０３。ｅＮＢは、初期コンテキスト設定要求に含まれるＥ−ＲＡＢコンテキストに従い、確立される必要のある無線ベアラ（略してベアラ）を知り、無線リソースをベアラに割り当て、ＵＥのためにベアラを構成し、それによりベアラの確立を完了する。
【００３０】
Ｓ２０４。ｅＮＢは、確立したベアラを用いることにより、ＵＥのデータをＳ−ＧＷへ送信する。
【００３１】
このステップの存在は、ＵＥが送信されるべきアップリンクデータを有するか否かに依存する。
【００３２】
Ｓ２０５。ｅＮＢは、ベアラの確立が完了した後に、初期コンテキスト設定完了（initial  context  setup  complete）メッセージをＭＭＥへ送信する。
【００３３】
初期コンテキスト設定完了メッセージは、ｅＮＢのアドレス、ダウンリンク送信のために使用されるＴＥＩＤ、及び確立したベアラ（受け付けられたベアラとしても参照される）のような情報を運んで良い。
【００３４】
Ｓ２０６。ＭＭＥは、変更ベアラ要求メッセージを用いることによりｅＮＢのアドレスのような情報をＳ−ＧＷへ送信するために、確立したベアラに関して、変更ベアラ要求（modify  bearer  request）メッセージをＳ−ＧＷへ送信する。
【００３５】
Ｓ２０７。Ｓ−ＧＷは、変更ベアラ応答メッセージをＭＭＥに返し、変更ベアラ応答メッセージは、Ｓ−ＧＷのアドレス及びアップリンク送信のために使用されるＴＥＩＤを運ぶ。
【００３６】
ＬＴＥネットワークでは、制御プレーンは、ユーザプレーンから分離される。さらに、制御プレーン接続が中断された後に、ベアラが確立されるＵＥがユーザプレーンを用いることにより依然として通常通りデータを送信できることが、前述の手順から分かる。これに基づき、本発明の実施形態で提供されるデータ送信方法では、ＵＥのＲＲＣ接続は、ＵＥの制御プレーン接続が中断された後に直ちに解放されず、ＵＥのサービスが継続できるようにする。
【００３７】
詳細な説明は、添付の図面を参照して以下に提供される。
【００３８】
図３は、本発明の一実施形態によるデータ送信方法のフローチャートである。方法は、制御プレーンがユーザプレーンから分離されている、ＬＴＥネットワークのような通信システムに適用される。通信システムは、アクセスネットワーク装置及びＣＮ装置を含む。ＣＮ装置は、第１ＣＮ要素と第２ＣＮ要素とを含む。第１ＣＮ要素は、制御プレーンデータを処理するよう構成され、制御プレーンインタフェースは、第１ＣＮ要素とアクセスネットワーク装置との間に設けられる。第２ＣＮ要素は、ユーザプレーンデータを処理するよう構成され、ユーザプレーンインタフェースは、第２ＣＮ要素とアクセスネットワーク装置との間に設けられる。図３に示すように、本実施形態において提供される方法は以下のステップを含んで良い。
【００３９】
Ｓ３０１。アクセスネットワーク装置は、第１ＣＮ要素から、制御プレーンインタフェースを通じて、確立される必要のあるベアラに関する情報を取得する。
【００４０】
上述の説明から、アクセスネットワーク装置は、初期コンテキスト設定要求メッセージの中で、確立される必要のあるベアラに関する情報を取得でき、確立される必要のあるベアラに関する情報は、Ｅ−ＲＡＢコンテキストであって良いことが分かる。Ｅ−ＲＡＢコンテキストは、Ｓ−ＧＷのアドレス及びアップリンク送信のために使用されるＴＥＩＤのような情報を含んで良い。
【００４１】
Ｓ３０２。アクセスネットワーク装置は、確立される必要のあるベアラに関する情報に従い、ベアラを確立する。
【００４２】
Ｓ３０３。アクセスネットワーク装置は、確立したベアラを用いることにより、ＵＥのデータを第２ＣＮ要素へ送信する。
【００４３】
留意すべきことに、ベアラが確立された後、ステップＳ３０３は、ＵＥが送信されるべきデータを有するとき実行される。ステップＳ３０２の後、ＵＥが送信されるべきデータを有しない場合、アクセスネットワーク装置は、ステップＳ３０３を実行する必要がない。
【００４４】
Ｓ３０４。アクセスネットワーク装置は、確立したベアラを、第１ＣＮ要素を通じて第２ＣＮ要素に通知する。
【００４５】
上述の説明から、アクセスネットワーク装置、初期コンテキスト設定完了メッセージを用いることにより、確立したベアラを第１ＣＮ要素へ送信して良く、第１ＣＮ要素は、変更ベアラ要求メッセージを用いることにより、確立したベアラを第２ＣＮ要素へ送信することが分かる。
【００４６】
留意すべきことに、ステップＳ３０３は存在しなくても良く、又は、ステップＳ３０４の前に若しくは後に実行されて良く、又は、Ｓ３０４と同時に実行されて良い。
【００４７】
Ｓ３０５。制御プレーンインタフェースの信号が中断されると、アクセスネットワーク装置は、確立したベアラを用いることにより、ＵＥの既存サービスの中で送信されるべきデータを送信する。
【００４８】
前述の方法では、制御プレーンインタフェースのシグナリングが中断されるとき、アクセスネットワーク装置は、ＵＥのベアラを直ちに解放しない。このように、ＵＥのユーザプレーン接続は切断されず、ＵＥはデータを送信するために確立したベアラを使用し続けることができ、ユーザプレーンサービスが中断されないことを最大限に保証し、それによりユーザ経験、特にボイスオーバＩＰ（Voice  over  internet  protocol、略してＶＯＩＰ）サービスの信頼性を向上する。前述の方法は、特に、第１ＣＮ要素が短時間の間サービス停止である状況、例えば第１ＣＮ要素がバージョン置き換え、ソフトウェア更新、又は異常リセットを実行する状況に適用可能である。
【００４９】
留意すべきことに、本適用におけるアクセスネットワーク装置は、ＵＥが無線ネットワークにアクセスできるようにする装置を表し、例えば、ＬＴＥネットワークにおけるｅＮＢであって良く、又は、ユーザプレーンが制御プレーンから分離される別の通信システムにおける基地局であって良い。第１ＣＮ要素は、制御プレーンデータを処理するよう構成され、例えば、ＬＴＥネットワークにおけるＭＭＥであって良い。第２ＣＮ要素は、ユーザプレーンデータを処理するよう構成され、例えば、ＬＴＥネットワークにおけるＳ−ＧＷであって良い。
【００５０】
さらに、ステップＳ３０５における制御プレーンインタフェースの信号の中断は、アクセスネットワーク装置により検出されて良く、アクセスネットワーク装置と第１ＣＮ要素との間のリンクを検出することにより検出されて良い。例えば、ＬＴＥシステムでは、ステップＳ３０５における制御プレーンインタフェースの信号の中断は、ｅＮＢとＭＭＥとの間のストリーム制御伝送プロトコル（Stream  Control  Transmission  Protocol、略してＳＣＴＰ）リンクが障害か否かを検出することにより、ｅＮＢにより検出される。ＳＣＴＰリンクは、ｅＮＢとＭＭＥとの間の基礎的リンクであり、ＳＣＴＰリンクは複数のＵＥの制御プレーン接続を運んで良い。ＳＣＴＰリンクが障害であるとき、全てのＵＥのものであり且つＳＣＴＰリンク上で運ばれる制御プレーン接続は、切断される。
【００５１】
ｅＮＢは、ｅＮＢとＭＭＥとの間のＳＣＴＰリンクが障害か否かを以下の方法で検出して良い。ｅＮＢは、ＭＭＥにより送信されるハートビートパケットを定期的に検出し、ｅＮＢがＭＭＥにより送信されるハートビートパケットを指定時間内に受信しない場合、ｅＮＢはＳＣＴＰリンクが障害であると決定する。もちろん、ｅＮＢは、ｅＮＢとＭＭＥとの間のＳＣＴＰリンクが障害か否かを別の方法で検出して良い。例えば、ｅＮＢは、ハートビートパケットをＭＭＥへ送信し、ＭＭＥの応答がプリセット時間内に受信されない場合、ＳＣＴＰリンクは障害であると考えられる。これは、通常送信がリンク上で実行できるか否かを検出するために方法が使用できる場合、本実施形態において限定されない。
【００５２】
ＬＴＥネットワークでは、ＵＥの制御プレーン接続は、２つの部分：ＵＥとｅＮＢとの間の無線インタフェース接続、及びｅＮＢとＭＭＥとの間のＳ１−ＭＭＥ接続、を含む。ＵＥとｅＮＢとの間の無線接続は、ＲＲＣ接続である。ＳＣＴＰリンクが障害になった後、Ｓ１−ＭＭＥ接続のみが切断されるが、ＵＥとｅＮＢとの間の無線インタフェース接続は切断されない。ＵＥのユーザプレーン接続も、２つの部分：ＵＥとｅＮＢとの間の無線インタフェース接続、及びｅＮＢとＳ−ＧＷとの間の接続、を含む。
【００５３】
本実施形態では、ｅＮＢがＳＣＴＰリンクは障害であると検出する場合、ｅＮＢは、ＵＥのものであり且つＳＣＴＰリンク上で運ばれるＲＲＣ接続を解放しない。このように、ＵＥのユーザプレーン接続は切断されず、ＵＥはデータを送信するためにユーザプレーンリソースを使用し続けることができ、ユーザサービスが中断されない。ここでユーザプレーンリソースは、ｅＮＢとＳ−ＧＷとの間に確立されたベアラを表す。
【００５４】
前述の実施形態から、制御プレーンインタフェースの信号が中断されるとき、アクセスネットワーク装置はＵＥを能動的に解放せず、ＵＥがネットワークを能動的に退出するまで、この状態を維持して良いことが分かる。しかしながら、無線リソースの利用を考慮して、第１タイマが設定されて良い。第１タイマは、非アクティブタイマとして表されて良い。非アクティブタイマは、ＵＥの非アクティブ時間を記録するよう構成される。例えば、アクセスネットワーク装置は、ＵＥがデータを送信又は受信するか否かを監視して良い。ＵＥが非アクティブタイマの期間を通じてデータを送信又は受信しない場合、アクセスネットワーク装置は、ＵＥを能動的に解放して良い。非アクティブタイマは、ＵＥが送信又は受信されるべきデータを有するとき、開始される。例えば、ＵＥのアップリンク又はダウンリンクデータを受信すると、アクセスネットワーク装置は、このタイマを開始して良い。さらに、非アクティブタイマの期間は、要件に従いプリセットされて良い。以下の因子が設定中に考慮されて良い。
【００５５】
期間がより短く設定されるならば、サービスが存在しないとき、ＵＥはより早く解放され、これはＵＥにＲＲＣ接続要求を頻繁に起こさせ得る。さらに、通常解放の量の増加は、統計を通じて得られる呼ドロップ率のような、より良好なネットワーク性能指示子をもたらす。期間がより長く設定されるならば、サービスが存在しないとき、ＵＥはより遅く解放され、ＵＥはより長時間、オンラインを維持し、無線リソースを占有する。さらに、通常解放の量の減少は、統計を通じて得られる呼ドロップ率のような、より粗悪なネットワーク性能指示子をもたらす。
【００５６】
非アクティブタイマの期間の設定の間、前述の２つの点が考慮されバランスを保たれて良い。さらに、異なる期間のタイマが、２つのサービスの異なる要件を満たすために、データサービス及び音声サービスのために設定されて良い。
【００５７】
さらに、第１ＣＮ要素上の全てのＵＥの状態の一貫性を保つために、アクセスネットワーク装置は、制御プレーンインタフェースの信号が正常に戻ると、Ｓ１リンク上の全てのＵＥを解放し、つまりＵＥのＲＲＣ接続を解放して良い。例えば、ｅＮＢが、Ｓ−ＭＭＥ基礎ＳＣＴＰリンクの状態が正常に戻ることを検出すると、Ｓ１リンク上の全てのＵＥは、ＭＭＥ上のＵＥの初期状態と一貫性を保つために、解放される。
【００５８】
前述の２つの解放条件、つまり、非アクティブタイマの終了及び制御プレーンインタフェースの信号が正常に戻ること、の一方又は両方が使用されて良い。２つの解放条件の両方が使用されるとき、ＵＥのＲＲＣ接続は、条件のうちのいずれか１つが満たされるとき、解放されて良い。例えば、非アクティブタイマが終了する前に、制御プレーンインタフェースの信号が正常に戻るとき、ＲＲＣ接続は、制御プレーンインタフェースの信号が正常に戻ると解放されて良い。あるいは、非アクティブタイマが終了する前に、制御プレーンインタフェースの信号が正常に戻らないとき、ＵＥのＲＲＣ接続は、非アクティブタイマが終了すると解放されて良い。
【００５９】
さらに、ＵＥにより能動的にトリガされる制御プレーンメッセージ交換、例えば、新しいサービスの確立は、制御プレーンシグナリングが第１ＣＮ要素へ送信されるとき、例外を生じて良い。この場合、アクセスネットワーク装置は、ＵＥを解放して良く、以下の信頼性保護手段が考慮されて良い。
【００６０】
先ず、アイドル状態のＵＥのアクセスを防ぐために、アクセスネットワーク装置によりカバーされるセルの状態は、制御プレーンインタフェースの信号が中断されるとき、予約（reserved）状態に設定されて良い。この状態は、アイドル状態のＵＥのアクセスを禁止するために使用される。このように、アイドル状態のＵＥのアクセスに起因する制御プレーンシグナリングの送信により引き起こされる例外は、防がれ得る。
【００６１】
第二に、制御プレーンシグナリングの長期中断がＵＥのサービス経験に影響を与えることを防ぐために、第２タイマが設定される。第２タイマは、制御プレーンシグナリングが中断される時間を記録し、プリセット期間を超えないようタイマを制御するよう構成される。第２タイマは、制御プレーンインタフェースの信号が中断されるとき、開始される。プリセット期間に達すると、アクセスネットワーク装置は、Ｓ１リンク上の全てのＵＥを解放する、つまりＵＥのＲＲＣ接続を解放する。第２タイマの期間は、オペレータの要件に従い設定されて良い。
【００６２】
前述の実施形態は、ＵＥを解放するための複数の条件、例えば、非アクティブタイマの終了、及び制御プレーンインタフェースの信号が正常に戻ること、並びに、別の例では、第２タイマの終了、及びＵＥが新しいサービスのために制御プレーン接続の確立を開始すること、を設けることが分かる。これらの条件は、単独で又は一緒に使用されて良い。条件が一緒に使用される場合、条件のうちのいずれかが選択的に満たされるとき、ＵＥのＲＲＣ接続は解放される。留意すべきことに、２つの条件：制御プレーンインタフェースの信号が正常に戻ること、及び第２タイマの終了が、Ｓ１リンク上の全てのＵＥを解放するようアクセスネットワーク装置を制御するために使用され、一方で、２つの条件：非アクティブタイマの終了、及びＵＥが新しいサービスのために制御プレーンイン接続の確立を開始することが、関連ＵＥを解放するようアクセスネットワーク装置を制御するために使用される。
【００６３】
以下の実施形態は、全ての前述の解放条件を参照して詳細に記載される。以下の実施形態は、単に例であり、本発明を限定することを意図しない。
【００６４】
図４は、本発明の別の実施形態によるデータ送信方法のフローチャートである。図４に示すように、本実施形態の方法は以下のステップを含んで良い。
【００６５】
Ｓ４０１。アクセスネットワーク装置は、第１ＣＮ要素から、確立される必要のあるベアラに関する情報を取得し、確立される必要のあるベアラに関する情報に従いベアラを確立する。
【００６６】
Ｓ４０２。アクセスネットワーク装置は、アクセスネットワーク装置と第１ＣＮ要素との間の制御プレーンインタフェースの信号が中断されるか否かを検出する。
【００６７】
制御プレーンインタフェースの信号が中断されない場合、通常データ送信が実行されて良い。これは、従来技術であり、本発明の本質に関係なく、ここに記載されない。制御プレーンインタフェースの信号が中断されることを検出すると、アクセスネットワーク装置は、ＵＥのサービス連続性を維持するためにＵＥのＲＲＣ接続を解放せず、以下の動作を実行する。
【００６８】
Ｓ４０３。アクセスネットワーク装置は、第２タイマを開始する。
【００６９】
Ｓ４０４。ＵＥの既存サービスの中で送信されるべきデータが存在するとき、確立されたベアラを用いることにより、ＵＥの既存サービスの中で送信されるべきデータを送信する。
【００７０】
留意すべきことに、Ｓ４０４は、Ｓ４０３と同時に又はそれに続いて生じて良い。
【００７１】
本実施形態では、制御プレーンインタフェースの信号が中断されることを検出すると、アクセスネットワーク装置は、第２タイマを開始する。第２タイマの期間は、制御プレーンインタフェースの信号が中断されるとき、ＵＥのＲＲＣ接続を維持する最大期間を示すために使用される。第２タイマが終了すると、アクセスネットワーク装置は、ＵＥのＲＲＣ接続を解放し、ＵＥのユーザプレーン接続は切断される。
【００７２】
Ｓ４０５。アクセスネットワーク装置は、ＵＥの第１タイマが終了するか否かを検出する。
【００７３】
ＵＥの第１タイマが終了した場合、ステップＳ４０６が実行される。第１タイマが終了しないＵＥについては、ＵＥの既存サービスの中で送信されるべきデータが存在するとき、ステップＳ４０４が実行される。つまり、ＵＥの既存サービスの中で送信されるべきデータは、確立したベアラを用いることにより送信される。各ＵＥの第１タイマは、アクセスネットワーク装置が各ＵＥのアップリンク又はダウンリンクデータを受信すると、アクセスネットワーク装置により開始される。さらに、ＵＥのアップリンク又はダウンリンクデータを受信する度に、アクセスネットワーク装置は、ＵＥの第１タイマをリセットする。続いて、アクセスネットワーク装置は、各ＵＥが送信又は受信されるべきデータを有するか否かを監視し続ける。ＵＥが第１タイマの期間内に送信又は受信されるべきデータを有する場合、アクセスネットワーク装置は、ＵＥの第１タイマをリセットし、第１タイマは再び計時を開始する。ＵＥがＵＥの第１タイマの期間を通じて送信又は受信されるべきデータを有しない場合、アクセスネットワーク装置は、ＵＥのＲＲＣ接続を解放する。
【００７４】
本実施形態では、各ＵＥの第１タイマの期間は正しく設定される必要がある。第１タイマの期間がより短く設定されるならば、ＵＥがサービスを有しないとき、ＵＥのＲＲＣ接続はより早く解放され、これはＵＥにＲＲＣ接続設定要求を頻繁に起こさせ得る。しかしながら、ＵＥのＲＲＣ接続の通常解放の量の増加は、システムの統計を通じて得られる呼ドロップ率のような、より良好なネットワーク性能指示子をもたらす。第１タイマの期間がより長く設定されるならば、ＵＥがサービスを有しないとき、ＵＥのＲＲＣ接続はより遅く解放され、ＵＥはより長時間、オンラインを維持し、無線リソースを占有する。しかしながら、ＵＥのＲＲＣ接続の通常解放の量の減少は、システムの統計を通じて得られる呼ドロップ率のような、より粗悪なネットワーク性能指示子をもたらす。したがって、第１タイマの期間の設定の間、異なるサービス要件に従い異なる期間が設定されて良い。
【００７５】
Ｓ４０６。アクセスネットワーク装置は、第１タイマの終了するＵＥのＲＲＣ接続を解放する。
【００７６】
ｅＮＢが、任意のＵＥの第１タイマが終了することを検出する場合、ｅＮＢは、ＵＥのＲＲＣ接続を解放する。ＵＥの第１タイマは、ＵＥが送信されるべきサービスを有しないために、又はＵＥがネットワークを能動的に退出するために、終了して良い。本実施形態では、ＵＥがネットワークを能動的に退出することは、ＵＥが電源を切られること又はＵＥがオフラインモードに切り替えられることを意味する。ＵＥがネットワークを退出するとき、ＵＥは、非アクセス層（Non−access  stratum、略してＮＡＳ）におけるデタッチ（detach）手順をトリガし、次に、コンテキスト及び全てのベアラを解放するためにデタッチ要求（detach  request）を第１ＣＮ要素へ送信し、第１ＣＮ要素はＵＥを解放する。ＮＡＳ手順では、ＵＥは第１ＣＮ要素と相互作用する必要がある。アクセスネットワーク装置と第１ＣＮ要素との間の送信が中断されるので、第１ＣＮ要素はＮＡＳ手順を処理できない。したがって、ＮＡＳ手順は期限切れとなり、ＵＥは進化型パケットシステム移動性管理登録解除（EMM−DEREGISTERED）状態へと後退する。最後に、ｅＮＢにより開始されたＵＥの第１タイマは、ＵＥが送信されるべきデータを有しないために終了する。
【００７７】
本実施形態では、各ＵＥの第１タイマが終了するか否かは、各ＵＥのＲＲＣ接続を解放するための条件として使用される。ＵＥがサービスを有しないとき、ＵＥのＲＲＣ接続は、時間内に解放できる。つまり、ＵＥにより占有される無線リソースが解放でき、それにより、無線リソースの無駄を回避する。
【００７８】
Ｓ４０７。アクセスネットワーク装置は、制御プレーンインタフェースの信号が正常に戻るか否かを検出する。
【００７９】
制御プレーンインタフェースの信号が正常に戻ると、ステップＳ４０８が実行される。制御プレーンインタフェースの信号が正常に戻らず、且つＵＥの既存サービスが送信されるべきデータを依然として有しないとき、ステップＳ４０４が実行される。つまり、ＵＥの既存サービスの中で送信されるべきデータは、確立したベアラを用いることにより送信される。
【００８０】
Ｓ４０８。アクセスネットワーク装置は、Ｓ１リンク上の全てのＵＥのＲＲＣ接続を解放する。
【００８１】
さらに、アクセスネットワーク装置が第２タイマを開始した後に、アクセスネットワーク装置は、後続のステップＳ４０９を実行する。
【００８２】
Ｓ４０９。アクセスネットワーク装置は、第２タイマが終了するか否かを検出する。
【００８３】
第２タイマが終了した場合、ステップＳ４０８が実行される。第２タイマが終了しない場合、ＵＥの既存サービスが送信されるべきデータを依然として有するとき、ステップＳ４０４が実行される。つまり、ＵＥの既存サービスの中で送信されるべきデータは、確立したベアラを用いることにより送信される。本実施形態では、制御プレーンインタフェースの信号が中断された後にＵＥがユーザプレーン接続を維持する時間を制御するために、第２タイマが設定される。
【００８４】
制御プレーンインタフェースの信号が中断された後に、アクセスネットワーク装置におけるＵＥの状態は、第１ＣＮ要素におけるＵＥの状態と矛盾する。アクセスネットワーク装置の観点から、ＵＥは接続状態のままであり、ＵＥに関する情報はアクセスネットワーク装置に格納されたままである。しかしながら、第１ＣＮ装置の観点から、ＵＥは切断され且つアイドル状態であり、第１ＣＮ装置に格納されたＵＥに関する情報は、削除されて良い。アクセスネットワーク装置上のＵＥの状態を第１ＣＮ装置上のＵＥの状態と一致するよう保つために、本実施形態では、制御プレーンインタフェースの信号が正常に戻ることをアクセスネットワーク装置が検出した後に、アクセスネットワーク装置は、Ｓ１リンク上のＵＥのＲＲＣ接続を解放する。
【００８５】
留意すべきことに、本実施形態では、ステップＳ４０４、Ｓ４０５、Ｓ４０７、Ｓ４０９は、必ずしも順次的に実行される必要がなく、並行に実行されて良い。
【００８６】
本実施形態では、アクセスネットワーク装置は、第１及び第２タイマの期間及び制御プレーンインタフェースの信号が正常に戻るか否かのような条件に従い、ＵＥのＲＲＣ接続を解放すべきか否かを包括的に検討する。任意的に、アクセスネットワーク装置は、条件のうちの任意の１つに独立して従い、ＵＥのＲＲＣ接続を解放すべきか否かを決定して良い。例えば、アクセスネットワーク装置は、制御プレーンインタフェースの信号が正常に戻るか否かを検出する。アクセスネットワーク装置が、制御プレーンインタフェースの信号が正常に戻ることを検出した場合、アクセスネットワーク装置は、ＵＥのＲＲＣ接続を解放する。代替で、アクセスネットワーク装置は、第２タイマが終了するか否かを検出する。アクセスネットワーク装置が、第２タイマが終了することを検出した場合、アクセスネットワーク装置は、ＵＥのＲＲＣ接続を解放する。
【００８７】
さらに、本実施形態では、制御プレーンインタフェースの信号が中断されることを検出した後に、アクセスネットワーク装置は、アクセスネットワーク装置によりカバーされるセルの状態を、予約状態に設定する。予約状態は、アイドル状態にあるＵＥがアクセスネットワーク装置によりカバーされるセルにアクセスすることを禁止するために使用される。制御プレーンインタフェースの信号が中断された後、アクセスネットワーク装置は第１ＣＮ装置への制御プレーン接続を確立できないので、アイドル状態にあるＵＥは、アクセスネットワーク装置によりカバーされるセルにアクセスできない。アイドル状態にあるＵＥがセルにアクセスすることを防ぐために、本実施形態では、制御プレーンインタフェースの信号が中断された後、アクセスネットワーク装置は、アクセスネットワーク装置によりカバーされるセルの状態を予約状態に設定する。アイドル状態にあるＵＥが、セルの状態が予約状態であることを知ると、アイドル状態にあるＵＥは、もはやセルにアクセスしようとしないが、別のセルにアクセスすることを選択する。
【００８８】
さらに、本実施形態では、制御プレーンインタフェースの信号が正常に戻る前に、任意のＵＥが新しいサービスのために制御プレーン接続の確立を開始する場合、アクセスネットワーク装置は、ＵＥの新しいサービスのために、制御プレーン接続及びユーザプレーン接続を確立する必要がある。制御プレーンインタフェースの信号が正常に戻っていない、且つアクセスネットワーク装置が第１ＣＮ装置への制御プレーン接続を確立できないので、ＵＥの新しいサービスは提供することができない。本実施形態では、ＵＥの新しいサービスを提供するために、アクセスネットワーク装置は、ＵＥのＲＲＣ接続を解放して、ＵＥが別のアクセスネットワーク装置及び第１ＣＮ装置を通じてネットワークにアクセスできるようにする。このように、ＵＥの新しいサービスは影響を受けない。
【００８９】
図５は、本発明の一実施形態によるアクセスネットワーク装置の概略構造図である。アクセスネットワーク装置５００は、通信システムに適用され、通信システムは、アクセスネットワーク装置５００とコアネットワーク装置とを含み、コアネットワーク装置は、第１ＣＮ要素と第２ＣＮ要素とを含む。制御プレーンインタフェースは、アクセスネットワーク装置５００と第１ＣＮ要素との間に設けられ、ユーザプレーンインタフェースは、アクセスネットワーク装置５００と第２ＣＮ要素との間に設けられる。図５に示すように、本実施形態で提供されるアクセスネットワーク装置５００は、処理モジュール５１と送信も受ル５２とを含む。
【００９０】
処理モジュール５１は、第１ＣＮ要素から、制御プレーンインタフェースを通じて、確立される必要のあるベアラに関する情報を取得するよう構成される。
【００９１】
処理モジュール５１は、確立される必要のあるベアラに関する情報に従い、ベアラを確立するよう更に構成される。
【００９２】
送信モジュール５２は、確立したベアラを、第１ＣＮ要素を通じて第２ＣＮ要素に通知するよう構成される。
【００９３】
送信モジュール５２は、制御プレーンインタフェースの信号が中断されると、確立されたベアラを用いることにより、ユーザ機器（ＵＥ）の既存サービスの中で送信されるべきデータを送信するよう更に構成される。
【００９４】
任意的に、処理モジュール５１は、アクセスネットワーク装置がＵＥのデータを受信すると、第１タイマを開始又はリセットし、第１タイマは、ＵＥの非アクティブ期間を記録するよう構成され、第１タイマが終了すると、ＵＥのＲＲＣ接続を解放する、よう更に構成される。
【００９５】
任意的に、処理モジュール５１は、制御プレーンインタフェースの信号が正常に戻るか否かを検出し、制御プレーンインタフェースの信号が正常に戻ると、ＵＥのＲＲＣ接続を解放する、よう更に構成される。
【００９６】
任意的に、処理モジュール５１は、制御プレーンインタフェースの信号が中断されると、第２タイマを開始し、第２タイマが終了すると、ＵＥのＲＲＣコネクションを解放する、よう更に構成される。
【００９７】
任意的に、処理モジュール５１は、制御プレーンインタフェースの信号が正常に戻る前に、ＵＥが新しいサービスのために制御プレーン接続の確立を開始すると、ＵＥのＲＲＣ接続を解放するよう更に構成される。
【００９８】
任意的に、処理モジュール５１は、制御プレーンインタフェースの信号が中断されると、アクセスネットワーク装置によりカバーされるセルの状態を予約状態に設定し、予約状態は、アイドル状態のＵＥのアクセスを禁止するために使用される、よう更に構成される。
【００９９】
留意すべきことに、本実施形態における処理モジュール５１は、スタンドアロン型プロセッサであって良く、又はアクセスネットワーク装置のプロセッサに統合されて良い。さらに、処理モジュール５１は、プログラムコードの形式でアクセスネットワーク装置のメモリに格納されて良く、アクセスネットワーク装置のプロセッサは、プログラムコードを呼び出し、処理モジュール５１の機能を実行する。ここでプロセッサは、中央処理ユニット（Central  Processing  Unit、ＣＰＵ）又は特定用途向け集積回路（Application  Specific  Integrated  Circuit、ＡＳＩＣ）であって良く、又は、本発明の本実施形態を実装するよう構成される１又は複数の集積回路であって良い。さらに、本実施形態における送信ユニット５２は、アクセスネットワーク装置の送信機であって良く、又は、アクセスネットワーク装置の通信機であって良く、通信機は送信機能と受信機能とを統合する。
【０１００】
本実施形態におけるアクセスネットワーク装置は、前述の実施形態において提供されたデータ送信方法を実行するよう構成されて良い。特定の実装及び技術的効果は同様である。前述の実施形態の記載を参照し、詳細事項はここで記載されない。
【０１０１】
図６は、本発明の一実施形態による別のアクセスネットワーク装置の概略構造図である。本実施形態におけるアクセスネットワーク装置６００は、通信システムに適用され、通信システムは、アクセスネットワーク装置６００とコアネットワーク装置とを含み、コアネットワーク装置は、第１ＣＮ要素と第２ＣＮ要素とを含む。制御プレーンインタフェースは、アクセスネットワーク装置６００と第１ＣＮ要素との間に設けられ、ユーザプレーンインタフェースは、アクセスネットワーク装置６００と第２ＣＮ要素との間に設けられる。図６に示すように、本実施形態において提供されるアクセスネットワーク装置６００は、プロセッサ６１、メモリ６２、インタフェース回路６３、及びシステムバス６４を含み、プロセッサ６１、メモリ６２、及びインタフェース回路６３は、システムバス６４を用いることにより互いに接続され通信し、メモリ６２は、コンピュータ実行命令を格納するよう構成され、インタフェース回路６３は別の装置と通信するよう構成される。
【０１０２】
プロセッサ６１は、第１ＣＮ要素から制御プレーンインタフェースを通じてインタフェース回路６３を使用することにより、確立される必要のあるベアラに関する情報を取得し、確立される必要のあるベアラに関する情報を取得すると、確立される必要のあるベアラに関する情報に従いベアラを確立し、確立したベアラをインタフェース回路６３を使用することにより第１ＣＮ要素を通じて第２ＣＮ要素に通知し、制御プレーンインタフェースの信号が中断されると、確立したベアラを使用することにより、ユーザ機器（ＵＥ）の既存サービスの中の送信されるべきデータを送信するよう構成される。
【０１０３】
プロセッサ６１は、以下の解放条件のうちの任意の１つ又はその組合せが満たされることを決定すると、ＵＥのＲＲＣ接続を解放するよう更に構成される。具体的には、次の通りである。
【０１０４】
第１タイマは、ＵＥのデータがインタフェース回路６３を用いることにより受信されると、開始又はリセットされ、第１タイマは、ＵＥの非アクティブ期間を記録するよう構成され、ＵＥの無線リソース制御（ＲＲＣ）接続は、第１タイマが終了すると解放される。
【０１０５】
制御プレーンインタフェースの信号が正常に戻るか否かが検出され、制御プレーンインタフェースの信号が正常に戻ると、ＵＥのＲＲＣ接続が解放される。
【０１０６】
制御プレーンインタフェースの信号が中断されると、第２タイマが開始され、第２タイマが終了すると、ＵＥのＲＲＣ接続は解放される。
【０１０７】
制御プレーンインタフェースの信号が正常に戻る前に、ＵＥが新しいサービスのために制御プレーン接続の確立を開始すると、ＵＥのＲＲＣ接続は解放される。
【０１０８】
制御プレーンインタフェースの信号が中断されると、アクセスネットワーク装置６００によりカバーされるセルの状態は予約状態に設定され、予約状態は、アイドル状態のＵＥのアクセスを禁止するために使用される。
【０１０９】
留意すべきことに、本実施形態のプロセッサ６１は、１つのプロセッサであって良く、又は複数の処理要素の総称であって良い。例えば、プロセッサ６１は、ＣＰＵであって良く、又はＡＳＩＣであって良く、又は本発明の本実施形態を実装するよう構成される１又は複数の集積回路、例えば１又は複数のマイクロプロセッサ（digital  signal  processor、ＤＳＰ）、又は１又は複数のフィールドプログラマブルゲートアレイ（Field  Programmable  Gate  Array、ＦＰＧＡ）であって良い。
【０１１０】
メモリ６２は、１つの記憶装置であって良く、又は複数の記憶要素の総称であって良く、アクセスネットワーク装置の動作において必要とされる実行可能プログラムコード又はパラメータ、データ、等を格納するよう構成される。メモリ６２は、ランダムアクセスメモリ（ＲＡＭ）を含んで良く、又は磁気ディスク記憶装置若しくはフラッシュ（Flash）のような不揮発性メモリ（non−volatile  memory）を含んで良い。
【０１１１】
システムバス６４は、工業標準アーキテクチャ（Industry  Standard  Architecture、ＩＳＡ）バス、周辺機器相互接続（Peripheral  Component  Interconnect、PCI）バス、拡張工業標準アーキテクチャ（Extended  Industry  Standard  Architecture、ＥＩＳＡ）バス等であって良い。システムバス６４は、アドレスバス、データバス、制御バス、等に分類できる。提示の便宜上、１本の太線のみが図６における提示のために使用されるが、１本のバス又は１種類のバスみのが存在することを示すものではない。
【０１１２】
本実施形態におけるアクセスネットワーク装置は、前述の実施形態において提供されたデータ送信方法を実行するよう構成されて良い。特定の実装及び技術的効果は同様である。前述の実施形態の記載を参照し、詳細事項はここで記載されない。
【０１１３】
図７は、本発明の一実施形態による通信システムの概略構造図である。図７に示すように、本実施形態において提供される通信システムは、アクセスネットワーク装置７１とコアネットワーク装置７２とを含み、コアネットワーク装置７２は第１ＣＮ要素７２１と第２ＣＮ要素７２２とを含み、制御プレーンインタフェースは、アクセスネットワーク装置７１と第１ＣＮ要素７２１との間に設けられ、ユーザプレーンインタフェースは、アクセスネットワーク装置７１と第２ＣＮ要素７２２との間に設けられる。アクセスネットワーク装置７１は、前述の実施形態において提供されたデータ送信方法を実行するよう構成されて良い。特定の実装及び技術的効果は同様である。前述の実施形態の記載を参照し、詳細事項はここで記載されない。
【０１１４】
当業者は、方法の実施形態のステップの全部又は一部が関連するハードウェアに指示するプログラムにより実装されて良いことを理解する。プログラムは、コンピュータ可読記憶媒体に格納されて良い。プログラムが実行するとき、方法の実施形態のステップが実行される。前述の記憶媒体は、ROM、RAM、磁気ディスク又は光ディスクのようなプログラムコードを格納可能な任意の媒体を含む。
【０１１５】
最後に、留意すべきことに、前述の実施形態は、単に本発明の技術的ソリューションを説明するためであり、本発明の範囲を限定するためではない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【符号の説明】
【０１１６】
５００  アクセスネットワーク装置
５１  処理モジュール
５２  送信モジュール
７１  アクセスネットワーク装置
７２  コアネットワーク装置
７２１  第１ＣＮ要素
７２２  第２ＣＮ要素
【図１】
2019110580.tif 000003
【図２】
2019110580.tif 000004
【図３】
2019110580.tif 000005
【図４】
2019110580.tif 000006
【図５】
2019110580.tif 000007
【図６】
2019110580.tif 000008
【図７】
2019110580.tif 000009
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
データ送信方法であって、前記方法は通信システムに適用され、前記通信システムは、アクセスネットワーク装置とコアネットワーク装置とを含み、前記コアネットワーク装置は、第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、前記方法は、
前記アクセスネットワーク装置により、前記第１コアネットワーク要素から前記制御プレーンインタフェースを通じて、ユーザ機器（ＵＥ）の且つ確立される必要のあるベアラに関する情報を取得するステップと、
前記アクセスネットワーク装置により、前記情報に従い前記ベアラを確立するステップと、
前記アクセスネットワーク装置により、前記第１コアネットワーク要素を通じて前記第２コアネットワーク要素に、前記確立したベアラを通知するステップと、
前記制御プレーンインタフェースの信号が中断されるとき、前記アクセスネットワーク装置により、前記ＵＥの無線リソース制御（ＲＲＣ）接続を維持するステップと、
を含む方法。
【請求項２】
前記方法は、
前記アクセスネットワーク装置が前記ＵＥのデータを受信すると、前記アクセスネットワーク装置により、第１タイマを開始する又はリセットするステップであって、前記第１タイマは、前記ＵＥの非アクティブ期間を記録するよう構成される、ステップと、
前記第１タイマが終了すると、前記アクセスネットワーク装置により、前記ＵＥのＲＲＣ接続を解放するステップと、
を更に含む請求項１に記載の方法。
【請求項３】
前記方法は、
前記アクセスネットワーク装置により、前記制御プレーンインタフェースの前記信号が正常に戻るか否かを検出するステップと、
前記アクセスネットワーク装置により、前記制御プレーンインタフェースの前記信号が正常に戻ると、前記ＵＥのＲＲＣ接続を解放するステップと、
を更に含む請求項１に記載の方法。
【請求項４】
前記方法は、
前記制御プレーンインタフェースの前記信号が中断されると、前記アクセスネットワーク装置により、第２タイマを開始するステップと、
前記第２タイマが終了すると、前記アクセスネットワーク装置により、前記ＵＥのＲＲＣ接続を解放するステップと、
を更に含む請求項１に記載の方法。
【請求項５】
前記方法は、
前記制御プレーンインタフェースの前記信号が正常に戻る前に、前記ＵＥが新しいサービスのために制御プレーン接続の確立を開始すると、前記アクセスネットワーク装置により、前記ＵＥのＲＲＣ接続を解放するステップ、
を更に含む請求項１に記載の方法。
【請求項６】
前記方法は、
前記制御プレーンインタフェースの前記信号が中断されると、前記アクセスネットワーク装置により、前記アクセスネットワーク装置によりカバーされるセルの状態を予約状態に設定するステップであって、前記予約状態は、アイドル状態のＵＥのアクセスを禁止するために使用される、ステップ、
を更に含む請求項１乃至５のいずれか一項に記載の方法。
【請求項７】
前記方法は、
前記アクセスネットワーク装置により、前記確立したベアラを用いて前記第２コアネットワーク要素へ、前記ＵＥのデータを送信するステップ、
を更に含む請求項１乃至６のいずれか一項に記載の方法。
【請求項８】
アクセスネットワーク装置に適用される装置であって、前記アクセスネットワーク装置は通信システムに適用され、前記通信システムは、前記アクセスネットワーク装置とコアネットワーク装置とを含み、前記コアネットワーク装置は、第１コアネットワーク要素と第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられ、前記装置は、
前記第１コアネットワーク要素から前記制御プレーンインタフェースを通じて、ユーザ機器（ＵＥ）の且つ確立される必要のあるベアラに関する情報を取得する手段と、
前記情報に従い前記ベアラを確立する手段と、
前記第１コアネットワーク要素を通じて前記第２コアネットワーク要素に、前記確立したベアラを通知する手段と、
前記制御プレーンインタフェースの信号が中断されるとき、前記ＵＥの無線リソース制御（ＲＲＣ）接続を維持する手段と、
を含む装置。
【請求項９】
前記アクセスネットワーク装置が前記ＵＥのデータを受信すると、第１タイマを開始又はリセットする手段であって、前記第１タイマは、前記ＵＥの非アクティブ期間を記録するよう構成される、手段と、
前記第１タイマが終了すると、前記ＵＥの前記ＲＲＣ接続を解放する手段と、
を更に含む請求項８に記載の装置。
【請求項１０】
前記制御プレーンインタフェースの信号が正常に戻るか否かを検出する手段と、
前記制御プレーンインタフェースの前記信号が正常に戻ると、前記ＵＥの前記ＲＲＣ接続を解放する手段と、
を更に含む請求項８に記載の装置。
【請求項１１】
前記制御プレーンインタフェースの前記信号が中断されると、第２タイマを開始する手段と、
前記第２タイマが終了すると、前記ＵＥの前記ＲＲＣ接続を解放する手段と、
を更に含む請求項８に記載の装置。
【請求項１２】
前記制御プレーンインタフェースの前記信号が正常に戻る前に、前記ＵＥが新しいサービスのために制御プレーン接続の確立を開始すると、前記ＵＥの前記ＲＲＣ接続を解放する手段、
を更に含む請求項８に記載の装置。
【請求項１３】
前記制御プレーンインタフェースの前記信号が中断されると、前記アクセスネットワーク装置によりカバーされるセルの状態を予約状態に設定する手段であって、前記予約状態は、アイドル状態のＵＥのアクセスを禁止するために使用される手段、
を更に含む請求項８に記載の装置。
【請求項１４】
前記確立したベアラを用いて、前記第２コアネットワーク要素へ、前記ＵＥのデータを送信する手段、
を更に含む請求項８に記載の装置。
【請求項１５】
通信システムであって、請求項８乃至１４のいずれか一項に記載のアクセスネットワーク装置と、第１コアネットワーク要素と、第２コアネットワーク要素とを含み、制御プレーンインタフェースが、前記アクセスネットワーク装置と前記第１コアネットワーク要素との間に設けられ、ユーザプレーンインタフェースが、前記アクセスネットワーク装置と前記第２コアネットワーク要素との間に設けられる、通信システム。
【請求項１６】
コンピュータに請求項１乃至７のいずれかに記載の方法を実行させるプログラム。
【外国語明細書】
2019110580000001.pdf